(57)【要約】【課題】ショーツの胴周りゴム部の伸縮性を利用することなく、ショーツ全体が緊張のない平面状に懸張される構造を有し、また廉価で軽量且つコンパクトであると同時に、洗濯ピンチなどを使用しない使い勝手の良い下着用の物干しハンガーの提供を図る。【解決手段】略台形の基台フレームの側斜辺部に設けた係止フック部と、基台フレームの上辺部中央に鉛直に突設する略Ｃ字状または略Ｕ字状の吊持フック部と、を設けた手段を採用した。また、開口部を小とした係止凹部を基台フレームの両側斜辺部に沿った内側方向に設けた手段や、略台形フレームをスライド可能にする手段等も採り得る。【選択図】図1
0003164182.tif 000002
【実用新案登録請求の範囲】
【請求項１】
線形部材、板状部材、又はこれらを組み合せた部材の、いずれかの部材から形成される下着用の物干しハンガーであって、略台形の基台フレームの両側斜辺部に沿って外側上方向に折り返えされる係止フック部と、前記基台フレームの上辺部中央に鉛直に突設する略Ｃ字状または略Ｕ字状の吊持フック部と、を設けたことを特徴とする下着用物干しハンガー。
【請求項２】
開口部を小とした係止凹部を前記基台フレームの両側斜辺部に沿った内側方向に設けたことを特徴とする請求項１記載の下着用物干しハンガー。
【請求項３】
前記基台フレームを構成する吊持フック部が備わる上辺部と、補強構造の下辺部と、前記係止フック部ならびに前記係止凹部が備わる斜辺部と、を分離し、該斜辺部に内向き水平に並設したスライドロッド部を、パイプ状に形成した前記上辺部と前記下辺部にスライド機能を有してスライド可能に貫入したことを特徴とする請求項１記載叉は請求項２記載の下着用物干しハンガー。
【請求項４】
前記吊持フック部の頂点付近に広角状の導入部と、テーパ状の締め付け部と、平行間隔の固定部の三段階構造で形成される洗濯ロープ移動防止溝を設けたことを特徴とする請求項１から請求項３の何れか記載の下着用物干しハンガー。
【考案の詳細な説明】
【技術分野】
【０００１】
本考案は、胴周りゴム部を有する下着用の物干しハンガーに関する。
【背景技術】
【０００２】
現在、一般に普及している胴周りゴム部を有するショーツ、パンティー、ビキニパンツなどが干される下着用の物干しハンガーは、ハンガー本体の下方に洗濯ピンチが設けられたものや、矩形の吊りハンガーに多数の洗濯ピンチが連続的に吊下される吊下式の物干しハンガーが提供されている。
【０００３】
しかしながら、それらの下着用物干しハンガーは、洗濯物を洗濯ピンチで一つ一つ挟み込まなければならない構造から、多くの手間を必要とする他、洗濯物に洗濯ピンチ跡が残るものであり、繊細なレース生地を使用している女性用の高級下着においては、生地自体を擦減させるものであった。
【０００４】
そこで、洗濯ピンチを使用しないで洗濯物を物干しハンガーに装着することができる下着用物干しハンガーが考案されている。例えば、ショーツの胴周りゴム部の伸縮を利用した上下セット物の衣類を段掛けすることができる「二段掛式の衣類用ハンガー」（特許文献１参照）や、上半身の衣類と下半身の衣類を同時に装着できる「ハンガー」（特許文献２参照）や、身体の形状に合わせてフレームが屈曲される「女性用衣類のハンガー」（特許文献３参照）などが提案されている。
【０００５】
また、Ｔ字状ハンガーの下方に係止片を複数個設けた「ハンガー」（特許文献４参照）が提案されている。
【０００６】
また、枠線を平面状に引き廻してショーツのクロッチ部を上方にして装着する「下着ハンガー」（特許文献５参照）が提案されている。
【０００７】
しかしながら、上記の「二段掛式の衣類用ハンガー」（特許文献１参照）や、「ハンガー」（特許文献２参照）や、「女性用衣類のハンガー」（特許文献３参照）においては、いずれもショーツの胴周りゴム部の伸縮性を利用したものであるため、装着される下着のサイズが胴周りゴム部の伸縮許容範囲内に限定されるもので、また、胴周りゴム部が緊張された状態で天日乾燥されるため、胴周りゴム部の劣化が早まり、衣類自体の耐久性に問題を残すものであった。
【０００８】
また、「ハンガー」（特許文献４参照）においては、ショーツの胴周りゴム部を下方に垂れ下がった数段のクリップ受け部の隙間部に差し込まなければならない構造であることから、細かい手間隙を必要とするものであり、面倒でもあった。
【０００９】
また、「下着ハンガー」（特許文献５参照）においては、ショーツのクロッチ部を上向きにして上方から装着する構造から、ハンガー自体が物干し竿や洗濯ロープに吊持された状態で洗濯物を装着することができないため、物干し作業が手早く出来ない問題があった。
【００１０】
本考案者は、以上のような状況を鑑み、ショーツの胴周りゴム部の伸縮性を利用することなく、ショーツ全体が緊張のない平面状に懸張される台形フレームの斜辺部を利用した物干しハンガーを考案し、本考案における下着用物干しハンガーの提案に至るものである。
【先行技術文献】
【特許文献】
【００１１】
【特許文献１】特開平５-３２９０４０号公報
【特許文献２】実用新案登録第３１２６１２７号公報
【特許文献３】特開２００８-２９６９５５号公報
【特許文献４】実用新案登録第３０７６６１７号公報
【特許文献５】実開平７-３５９３号公報
【考案の概要】
【考案が解決しようとする課題】
【００１２】
本考案は、上記問題点に鑑み、ショーツ胴周りゴム部の伸縮性を利用することなく、ショーツ全体が緊張のない平面状に懸張される構造を有し、また廉価で軽量且つコンパクトな構造であると同時に、洗濯ピンチなどを使用しない使い勝手の良い下着用物干しハンガーの提供を図る。
【課題を解決するための手段】
【００１３】
本考案は、上記目的を達成するために、略台形の基台フレームの両側斜辺部に沿って外側上方向に折り返えされる係止フック部と、該基台フレームの上辺部中央に鉛直に突設する略Ｃ字状または略Ｕ字状の吊持フック部とを設けた手段を採る。
【００１４】
また本考案は、開口部を小とした係止凹部を基台フレームの両側斜辺部に沿った内側方向に設けた手段を採る。
【００１５】
また本考案は、基台フレームを構成する吊持フック部が備わる上辺部と、補強構造の下辺部と、係止フック部ならびに係止凹部が備わる斜辺部と、を分離し、該斜辺部に内向き水平に並設したスライドロッド部をパイプ状に形成した上辺部と下辺部に、スライド機能部を有してスライド可能に貫入した手段を採る。
【００１６】
また本考案は、吊持フック部の頂点付近に広角状の導入部と、テーパ状の締め付け部と、平行間隔の固定部の三段階構造で形成される洗濯ロープ移動防止溝を設けた手段を採る。
【考案の効果】
【００１７】
本考案の物干し下着用ハンガーによれば、ハンガー本体が単純な形状で軽量且つコンパクトに形成されることから、素材に合成樹脂を用いる場合には、射出成型を容易にでき、製造コストの低廉が図られる優れた効果を奏する。
【００１８】
また、本考案の下着用物干しハンガーによれば、ショーツが、胴周りゴム部の伸縮性を利用することなく、全体が緊張のない平面状に懸張されて両サイドの斜辺部で係止される構造であるため、使用されるショーツの耐久性を持続させることができる優れた効果を奏する。
【００１９】
また、本考案の下着用物干しハンガーによれば、両サイドの斜辺部に設けられる係止フック部が外側上方に開口されてショーツをやんわりと緩んだ状態で係止する構造であることから、洗濯ピンチなどの使用が不要となると共に、ショーツ生地に洗濯ピンチ跡が残らない優れた効果を奏する。
【００２０】
また、本考案の下着用物干しハンガーによれば、両サイドの斜辺部に設けられる係止凹部が、内側方向に開口部を小として開口されてショーツを確実に係止する構造であることから、洗濯ピンチなどの使用が不要となると共に、ショーツ生地に洗濯ピンチ跡が残らない優れた効果を奏する。
【００２１】
また、本考案の下着用物干しハンガーによれば、上辺部と下辺部にスライド機能を有してスライド可能な構造とすることで、ショーツのサイズに限定されことなく、自分のショーツサイズに合わせた物干しハンガーとすることができる優れた効果を奏する。
【００２２】
また、本考案の下着用物干しハンガーによれば、吊持フック部の頂点付近に三段階構造で形成される洗濯ロープ移動防止溝を設けることによって、洗濯ロープに吊られる物干しハンガーを確実に固定できる優れた効果を奏する。
【図面の簡単な説明】
【００２３】
【図１】本考案の下着用物干しハンガーにおける請求項１記載の実施形態を示す全体説明図である。（実施例１）
【図２】本考案の下着用物干しハンガーにおける請求項１記載の使用状態を示す説明図である。（実施例２）
【図３】本考案の下着用物干しハンガーにおける請求項２記載の実施形態を示す全体説明図である。（実施例３）
【図４】本考案の下着用物干しハンガーにおける請求項１記載および請求項３記載の実施形態を示す全体説明図である。（実施例４）
【図５】本考案の下着用物干しハンガーにおける請求項２記載および請求項３記載の実施形態を示す全体説明図である。（実施例５）
【図６】本考案の下着用物干しハンガーにおける請求項４記載の実施形態を示す全体説明図である。（実施例６）
【考案を実施するための形態】
【００２４】
本考案の下着用物干しハンガーは、略台形の基台フレームの両側斜辺部に沿って外側上方向に折り返えされる係止フック部と、基台フレームの上辺部中央に鉛直に突設した略Ｃ字状または略Ｕ字状の吊持フック部とを設けた手段と、開口部を小とした係止凹部を基台フレームの両側斜辺部に沿った内側方向に設けた手段と、基台フレームを構成する吊持フック部ならびに係止凹部が備わる上辺部と、補強構造の下辺部と、係止フック部が備わる斜辺部とを分離し、該斜辺部に内向き水平に並設したスライドロッド部をパイプ状に形成した上辺部と下辺部にスライド機能を有してスライド可能に貫入した手段と、吊持フック部の頂点付近に広角状の導入部と、テーパ状の締め付け部と、平行間隔の固定部の三段階構造で形成される洗濯ロープ移動防止溝を設けた手段を採ったことを最大の特徴とするもので、以下、実施例を図面を基に説明する。
【００２５】
また、本実施例で示される寸法ならびに形状は、下記に述べる実施例に限定されるものでなく、本考案の技術的思想に逸脱しない範囲で任意に変更することができる。
【実施例１】
【００２６】
図１は、本考案の下着用物干しハンガーにおける請求項１記載の実施形態を示す全体説明図である。
図（a）は、本考案の下着用物干しハンガーの全体構成を示す説明図である。
本考案の物干しハンガー１は、線形部材、板状部材、又はこれらを組み合せた部材の、いずれかの部材から形成される下着用の物干しハンガーであって、基台フレーム１０の両側斜辺部１３に沿って外側上方向に折り返えされる係止フック部２０と、基台フレーム１０の上辺部１１中央に鉛直に突設する略Ｃ字状の吊持フック部３０を設けて構成される。
【００２７】
図（b）は、本考案の下着用物干しハンガーの使用状態を示す説明図である。
本考案の下着用物干しハンガー１は、図示されるように大サイズのショーツＳであっても、左右脇身頃Ｋを基台フレーム１０の両側斜辺部１３の下方位置で胴周りゴム部Ｄが緩い締め付け状態で係止するため、ショーツの胴回りゴム部Ｄの伸縮性を利用することなく、ショーツＳ全体が平面状に懸張した状態で係止する構造を有する。
【００２８】
図（ｃ）は、本考案の下着用物干しハンガーの別の使用状態を示す説明図である。
本考案の下着用物干しハンガー１は、図示されるように小サイズのショーツＳであっても、左右脇身頃Ｋを基台フレーム１０の両側斜辺部１３の上方位置で胴周りゴム部Ｄが緩い締め付け状態で係止するため、ショーツの胴回りゴム部Ｄの伸縮性を利用することなく、ショーツＳ全体が平面状に懸張した状態で係止できる構造を有する。
【００２９】
基台フレーム１０は、吊持フックが設けられる上辺部１１と、洗濯物が係止される斜辺部１３と、構造補強の下辺部１２の極めて簡単な略台形状のフレーム構造で形成される。また下辺部１２は、構造補強以外にショーツＳをハンガーに覆被し易くする役目と、ショーツＳの前身頃Ｍと後身頃Ｂの全体が平面状に懸張した状態を維持する役目も果たしている。
【００３０】
係止フック部２０は、ショーツＳ自体を直接狭持することが目的ではなく、むしろショーツＳ自体をやんわりと弛んだ状態で保持する目的と、ショーツＳのズリ落ち防止を目的として基台フレーム１０の両側斜辺部１３に沿って外側上方向に折り返えされて設けられるもので、ショーツＳのサイズや脇身頃Ｋの長さに合わせて保持する機能を有すると共に、洗濯ピンチなどの使用が不要となると同時にショーツ生地に洗濯ピンチ跡が残らない役目を果たす目的で形成される。
【００３１】
吊持フック部３０は、物干し竿や洗濯ロープＲ等に引っ掛けられる略Ｃ字状または略Ｕ字状に形成される吊しフックであって、基台フレーム１０の上辺部１１中央に鉛直に突設して設けられる。また基部には、回動自在に方向を変える回動ジョイントを設ける構造とすることもできる。
【００３２】
尚、本実施例は、下着用物干しハンガーの種類をＳＳ〜Ｓ、Ｍ〜Ｌ、ＬＬの３種類程度のサイズに限定して提供する形態を採っている。
【実施例２】
【００３３】
図２は、本考案の下着用物干しハンガーにおける請求項１記載の使用状態を示す説明図である。
（１）本考案の下着用物干しハンガー１とこれから物干しするショーツＳを準備する。
（２）ショーツＳの胴周りゴム部Ｄから片方の脚口部Ｆにかけて下着用物干しハンガー１の斜面部１３を差し込み、さらに、もう一方の脚口部Ｆに下着用物干しハンガー１のもう片方の斜面部１３を差し込んで上方に引き上げる。
（３）上方に引き上げられたショーツＳを下着用物干しハンガー１の斜辺部１３沿って自重で降ろす。
（４）ショーツＳを胴周りゴム部Ｄの余裕のある状態で左右脇身頃Ｋを基台フレーム１０部の斜辺部１３と係止フック部２０にセットする。
【００３４】
こうして使用される下着用物干しハンガー１は、ショーツＳの胴周りゴム部Ｄの伸縮性を利用することなく、ショーツＳの前身頃Ｍならびに後身頃Ｂ全体が緊張のない平面状に懸張されるものである。
【実施例３】
【００３５】
図３は、本考案の下着用物干しハンガーにおける請求項２記載の実施形態を示す全体説明図である。  
図（a）は、本考案の下着用物干しハンガーの全体構成を示す説明図である。
本考案の物干しハンガー１は、線形部材、板状部材、又はこれらを組み合せた部材の、いずれかの部材から形成される下着用の物干しハンガーであって、基台フレーム１０の上辺部１１中央に鉛直に突設した略Ｃ字状または略Ｕ字状の吊持フック部とを設けると共に、開口部４１を小とした係止凹部４０を基台フレーム１０の両側斜辺部１３の内側方向に沿って設けて構成される。
【００３６】
図（b）は、本考案の下着用物干しハンガーの使用状態を示す説明図である。
本考案の下着用物干しハンガー１は、図示されるように小サイズのショーツＳであっても、左右脇身頃Ｋを基台フレーム１０の両側斜辺部１３に設けられる係止凹部が、内側方向に開口部を小として開口されてショーツを確実に係止される構造であることから、ショーツの胴回りゴム部Ｄの伸縮性を利用することなく、ショーツＳ全体が平面状に懸張した状態で係止することができる。また、胴周りゴム部Ｄが緩い締め付け状態で係止されるため、洗濯ピンチなどの使用が不要となると共に、ショーツ生地に洗濯ピンチ跡が残らない構造を有する。
【００３７】
図（ｃ）は、本考案の下着用物干しハンガーの別の使用状態を示す説明図である。
本考案の物干しハンガー１は、図示されるように大サイズのショーツＳであっても、左右脇身頃Ｋを、基台フレーム１０の両斜辺部１３に設けられる係止凹部４０に胴周りゴム部Ｄが緩い締め付け状態で確実に係止される構造を有する。
【実施例４】
【００３８】
図４は、本考案の下着用物干しハンガーにおける請求項１記載および請求項３記載の実施形態を示す全体説明図である。
図（a）は、スライド機能を有した下着用物干しハンガーの全体図である。
図（b）は、スライド機能を有した下着用物干しハンガーの分解図である。
本考案のスライド機能１４を有した下着用物干しハンガー１は、基台フレーム１０を構成する上辺部１１と、下辺部１２と、斜辺部１３と、を分離し、該斜辺部１３に内向き水平に並設したスライドロッド部１５をパイプ状に形成した上辺部１１と下辺部１２にスライド機能１４を有してスライド可能に貫入した構造とすることで、ショーツＳのサイズに限定されことなく自分サイズに合った下着用物干しハンガー１に装着される構造を有する。
【００３９】
また、スライド機能１４は、特に限定されるものではないが、一例として、スライドロッド部１５の先端にストッパ部を設け、該ストッパ部が上辺部１１と下辺部１２のパイプ部のスライド方向に設けられる長孔をスライドして係止される構造を有する。
【００４０】
図（ｃ）は、スライド機能を有した下着用物干しハンガーの使用状態図である。
本考案のスライド機能１４を有した物干しハンガー１は、図示されるように自分専用のショーツＳのサイズに合わせて基台フレーム１０をスライドさせることができると共に、胴周りゴム部Ｄが緩い締め付け状態でも係止される構造を有する。
【実施例５】
【００４１】
図５は、本考案の下着用物干しハンガーにおける請求項２記載および請求項３記載の実施形態を示す全体説明図である。
図（a）は、スライド機能と係止凹部を有した下着用物干しハンガーの全体図である。
図（b）は、スライド機能と係止凹部を有した下着用物干しハンガーの分解図である。
本考案のスライド機能１４と係止凹部４０を有した下着用物干しハンガー１は、基台フレーム１０を構成する上辺部１１と、下辺部１２と、斜辺部１３と、を分離し、該斜辺部１３に内向き水平に並設したスライドロッド部１５をパイプ状に形成した上辺部１１と下辺部１２にスライド機能１４を有してスライド可能に貫入した構造に基台フレームの両側斜辺部に沿って内側方向に、開口部４１を小とした係止凹部４０を設けることで、ショーツＳのサイズが限定されことなく下着用物干しハンガーに確実に装着される構造を有する。
【００４２】
また、スライド機能１４は、構造を特に限定するものではないが、一例として、スライドロッド部１５の先端にストッパ部を設け、該ストッパ部が上辺部１１と下辺部１２のパイプ部のスライド方向に設けられる長孔をスライドして係止される構造とすることができる。
【００４３】
図（ｃ）は、スライド機能を有した下着用物干しハンガーの使用状態図である。
本考案のスライド機能１４を有した物干しハンガー１は、図示されるように自分専用のショーツＳのサイズに合わせて基台フレーム１０をスライドさせることができると共に、開口部４１を小とした係止凹部４０を設けることで胴周りゴム部Ｄが緩い締め付け状態でも確実に係止される構造を有する。
【実施例６】
【００４４】
図６は、本考案の下着用物干しハンガーにおける請求項１記載および請求項４記載の実施形態を示す全体説明図である。
図（ａ）は、洗濯ロープ移動防止溝の形状を示す拡大図である。
洗濯ロープ移動防止溝３１は、下着用物干しハンガー１の吊持フック部３０の頂点付近に広角状の導入部３２とテーパ状の締め付け部３３と平行間隔の固定部３４の三段階構造を設けて形成される。
【００４５】
図（ｂ）は、洗濯ロープ移動防止溝の拡大詳細図である。
従来の下着用物干しハンガーのフック部に設けられる洗濯ロープ移動防止溝３１は、広角状の導入部３２とテーパ状の締め付け部３３のみで形成されるため、洗濯ロープＲから物干しハンガーが強風や衝撃によって時折外れることがあったが、従来のフック部に本発明の平行間隔の固定部３４を新たに設けて、意識的に洗濯ロープＲを平行間隔の固定部３４引き込むことによって下着用物干しハンガー１を確実に固定することができる。
【００４６】
図（ｃ）は、洗濯ロープ移動防止溝の作用状態を示す説明図である。
（１）洗濯ロープＲを洗濯ロープ移動防止溝３１の広角状の導入部３２に誘導する。
（２）下着用物干しハンガー１を下方向に引っ張って、洗濯ロープＲをテーパ状の締付け部３３で締め付ける。
（３）さらに洗濯ロープＲを平行間隔の固定部３４へ引き込み、洗濯ロープＲに吊るされる下着用物干しハンガー１を確実に固定する方法を採ることができる。
【産業上の利用可能性】
【００４７】
本考案の下着用物干しハンガーは、ショーツの胴周りゴム部の伸縮性を利用することなく、ショーツ全体が緊張のない平面状に懸張される構造を有し、廉価で軽量且つコンパクトであると同時に、洗濯ピンチなどを使用しない使い勝手の良い下着用物干しハンガーであることからして、本考案における下着用物干しハンガーの産業上の利用可能性は極めて高いものと解する。
【符号の説明】
【００４８】
１  下着用物干しハンガー
１０  基台フレーム
１１  上辺部
１２  下辺部
１３  斜辺部
１４  スライド機能
１５  スライドロッド部
２０  係止フック部
３０  吊持フック部
４０  係止凹部
４１  開口部
３１  洗濯ロープ移動防止溝
３２  導入部
３３  締め付け部
３４  固定部
Ｓ  ショーツ
Ｄ  胴周りゴム部
Ｍ  前身頃
Ｂ  後身頃
Ｋ  脇身頃
Ｆ  脚口部
Ｃ  クロッチ部
【図１】
0003164182.tif 000003
【図２】
0003164182.tif 000004
【図３】
0003164182.tif 000005
【図４】
0003164182.tif 000006
【図５】
0003164182.tif 000007
【図６】
0003164182.tif 000008